(57)【要約】【課題】  簡単な仕組みによってボールの入った箇所を特定することができ、ひいては入賞の確率を容易に変更することができる抽選装置を提供する。【解決手段】  ボールを回収するための回収孔７０Ａを有する抽選盤７０を備えている抽選装置であって、抽選盤７０上において鉛直軸周りに回転するとともに、複数の凹部７２Ａを有する回転板７２と、各凹部７２Ａの回転位置を検知する回転位置検知手段７６Ａ，７６Ｂ，７７Ａ，７７Ｂと、回収孔７０Ａにボールが落下したことを検知するボール落下検知手段７８とを備え、かつ、回収孔７０Ａは、ボールを保持した凹部が同一箇所にあるときに当該ボールが落下するように設けられており、回収孔７０Ａにボールが落下したことを検知した時点で、当該回収孔７０Ａと同一箇所にある凹部を特定する凹部特定手段を備えている。【選択図】  図４
2006218185.tif 000002
【特許請求の範囲】
【請求項１】
ボールが転がるとともに当該ボールを回収するための回収孔を有する抽選盤と、この抽選盤にボールを投入するためのボール投入手段とを備えている抽選装置であって、
上記抽選盤上において鉛直軸周りに回転するとともに、上記ボールを側方から受け入れて保持可能な複数の凹部を有する回転板と、
上記回転板における各凹部の回転位置を検知する回転位置検知手段と、
上記回収孔に上記ボールが落下したことを検知するボール落下検知手段と、
を備え、かつ、
上記回収孔は、上記回転板の回転に伴い上記複数の凹部が移動する円軌道上の一箇所にあって、上記ボールを保持した凹部が同一箇所にあるときに当該ボールが落下するように設けられており、
上記回収孔に上記ボールが落下したことを検知した時点で、上記各凹部について検知した回転位置に基づき、当該回収孔と同一箇所にある凹部を特定する凹部特定手段を備えていることを特徴とする、抽選装置。
【請求項２】
上記回転位置検知手段には、上記回転板と一体になって回転するとともに、上記各凹部に対応した複数の検知部分を有する第１回転子と、上記各凹部が上記回収孔と重なるごとに上記第１回転子の各検知部分を検知する第１センサと、上記回転板と一体になって回転するとともに、上記複数の凹部のうちの基準となる１つのものに対応した検知部分を有する第２回転子と、上記基準となる凹部が上記回収孔と重なるごとに上記第２回転子の検知部分を検知する第２センサとが含まれている、請求項１に記載の抽選装置。
【請求項３】
上記回収孔に上記ボールが落下したことを検知した時、上記回転板が回転停止するように構成されている、請求項１または２に記載の抽選装置。
【請求項４】
上記複数の凹部のうちのどれを入賞穴とするかを所定のゲームにより決定する入賞穴決定手段と、決定した入賞穴を光により知らせる入賞穴報知手段とをさらに備えている、請求項１ないし３のいずれかに記載の抽選装置。
【発明の詳細な説明】
【技術分野】
【０００１】
本願発明は、たとえば景品獲得ゲーム機に備えられる抽選装置に関する。
【背景技術】
【０００２】
この種の抽選装置としては、たとえば特許文献１に開示されたものがある。この特許文献１に開示された抽選装置は、メダルゲーム機に備えられたものであり、メダル落下溝に落ちた抽選用のボールを上方に搬送するとともに、そのボールをボール受台内に投入し、このボール受台内に設けた複数の収容空間のうち、入賞穴となる一つの収容空間（特別収容空間）にボールが入るか否かによって物理的な抽選を行うものである。複数の収容空間は、抽選チャッカーの周部に形成されており、はずれ穴となる収容空間が半円状であり、入賞穴の収容空間が回転中心まで延びた長穴状となっている。はずれ穴の収容空間に入ったボールは、抽選チャッカーにより回転搬送され、これら収容空間の移動経路上にあるボール回収口に当該ボールが落下して回収される。一方、入賞穴の収容空間に入ったボールは、その状態がセンサにより検出された後、ボール回収口に落下することなく、さらに別の抽選装置へと搬送されるようになっている。
【０００３】
【特許文献１】特開２００２−２１０２２１号公報
【発明の開示】
【発明が解決しようとする課題】
【０００４】
しかしながら、上記従来の抽選装置では、はずれ穴や入賞穴の収容空間が物理的に固定されてしまっているため、入賞の確率を変更することができず、たとえば入賞穴の数を１から２に変更するなどして入賞の確率を高めるといったことができない。すなわち、どの収容空間にボールが入ったかをセンサが設けられている収容空間以外では特定できないので、入賞の確率を変更できるようにするには、全ての収容空間にセンサを設けるなどして複雑な構成を採用せざるを得ない難点があった。
【０００５】
本願発明は、上記した事情のもとで考え出されたものであって、簡単な仕組みによってボールの入った箇所を特定することができ、ひいては入賞の確率を容易に変更することができる抽選装置を提供することを課題としている。
【課題を解決するための手段】
【０００６】
上記課題を解決するため、本願発明では、次の技術的手段を講じている。
【０００７】
本願発明によって提供される抽選装置は、ボールが転がるとともに当該ボールを回収するための回収孔を有する抽選盤と、この抽選盤にボールを投入するためのボール投入手段とを備えている抽選装置であって、上記抽選盤上において鉛直軸周りに回転するとともに、上記ボールを側方から受け入れて保持可能な複数の凹部を有する回転板と、上記回転板における各凹部の回転位置を検知する回転位置検知手段と、上記回収孔に上記ボールが落下したことを検知するボール落下検知手段とを備え、かつ、上記回収孔は、上記回転板の回転に伴い上記複数の凹部が移動する円軌道上の一箇所にあって、上記ボールを保持した凹部が同一箇所にあるときに当該ボールが落下するように設けられており、上記回収孔に上記ボールが落下したことを検知した時点で、上記各凹部について検知した回転位置に基づき、当該回収孔と同一箇所にある凹部を特定する凹部特定手段を備えていることを特徴としている。
【０００８】
好ましい実施の形態としては、上記回転位置検知手段には、上記回転板と一体になって回転するとともに、上記各凹部に対応した複数の検知部分を有する第１回転子と、上記各凹部が上記回収孔と重なるごとに上記第１回転子の各検知部分を検知する第１センサと、上記回転板と一体になって回転するとともに、上記複数の凹部のうちの基準となる１つのものに対応した検知部分を有する第２回転子と、上記基準となる凹部が上記回収孔と重なるごとに上記第２回転子の検知部分を検知する第２センサとが含まれている。
【０００９】
他の好ましい実施の形態としては、上記回収孔に上記ボールが落下したことを検知した時、上記回転板が回転停止するように構成されている。
【００１０】
他の好ましい実施の形態としては、上記複数の凹部のうちのどれを入賞穴とするかを所定のゲームにより決定する入賞穴決定手段と、決定した入賞穴を光により知らせる入賞穴報知手段とを備えている。
【００１１】
このような構成では、回収孔にボールが落下したことを検知した時、当該回収孔と同一箇所にある凹部がボールの入った箇所として認識される。したがって、入賞の確率を変更するために入賞穴となる凹部の位置などを変えても、全ての凹部につき、簡単な仕組みでボールの入った凹部を特定することができ、ひいては入賞穴の数を変えるなどして入賞の確率を容易に変更することができる。
【００１２】
本願発明のその他の特徴および利点は、添付図面を参照して以下に行う詳細な説明によって、より明らかとなろう。
【発明を実施するための最良の形態】
【００１３】
以下、本願発明の好ましい実施の形態について、図面を参照して具体的に説明する。図１〜５は、本願発明に係る抽選装置を備えた景品獲得ゲーム機の一実施形態を示している。
【００１４】
図１に示されているように、本実施形態の景品獲得ゲーム機は、筐体の本体部１上に透明筒状の側面パネル２が設けられているとともに、側面パネル２の上側に筐体の天蓋部３が設けられた構成を有している。本体部１、側面パネル２、および天蓋部３によって囲まれた遊技空間には、環状の景品配置エリア４の周囲に複数の景品落下口５が設けられており、この景品配置エリア４から景品落下口５へと景品を移動させるための景品移動手段６が景品配置エリア４の周囲において景品落下口５のそれぞれに隣接するように設けられている。また、景品配置エリア４の内側となる遊技空間の中央部には、ミニゲームとして抽選ゲームを行うための抽選装置７や表示部８が設けられており、天蓋部３には、抽選装置７による抽選ゲームで入賞した場合に多数の景品を払い出すための複数のバケット９が懸垂状に設けられている。
【００１５】
本体部１の外周面部には、景品落下口５や景品移動手段６の位置に対応して複数の操作パネル部１０が等間隔で設けられており、これらの操作パネル部１０と同数の複数人（たとえば６人）が同時にゲームを行なうことができるようになっている。各操作パネル部１０には、景品移動手段６を操作したり抽選ゲームで所望とする番号を選択するためのボタン１１やコイン投入口１２が設けられている。操作パネル部１０の下方には、景品落下口５に落ちた景品を払い出すための景品払出口１３が設けられている。
【００１６】
景品配置エリア４には、多数の景品（図示略）が載せられており、この景品配置エリア４は、常に一定の方向に回転している。景品移動手段６は、景品配置エリア４にある景品をすくうように取り上げて移動させるクレーン機構６０と、このクレーン機構６０から放たれた景品が載るととともに、景品落下口５へと景品を落とすように往復動作を行うプッシャテーブル６１とを有して構成されている。クレーン機構６０は、ボタン１１の操作に応じて動作するようになっている。プッシャテーブル６１は、常に往復動作するようになっており、このプッシャテーブル６１から落ちた景品がプッシャテーブル６１の先端によって景品落下口５に向けて押し出され、さらにその景品が景品落下口５の周辺にたまった景品を押し出すと、１あるいは２以上の景品が景品落下口５に落ちるようになっている。景品落下口５に落ちた景品は、筐体内部の案内通路を通って景品払出口１３へと導かれ、景品払出口１３から景品を取り出すことができる。抽選装置７を用いた抽選ゲームは、たとえばドットマトリクス表示が可能な表示部８に３つの数字を表示し、当該数字が全て揃った場合に開始されるようになっている。なお、抽選ゲームは、クレーン機構６０が取り上げた景品を下方に離すようにボタン１１を操作するごとに行われるようにしてもよい。
【００１７】
図２および図３によく示されているように、抽選装置７は、ボールＢが転がるとともに当該ボールＢを回収するための１つの回収孔７０Ａを有する抽選盤７０、この抽選盤７０にボールＢを投入するためのバネ７１Ａおよびガイドレール７１Ｂなどからなるボール投入手段、抽選盤７０上において鉛直軸周りに回転するとともに、ボールＢを側方から受け入れて保持可能な複数の凹部７２Ａを有する回転板７２、回収したボールＢを保持しておくための回収ボックス７３、入賞穴となる凹部を光により知らせるための複数の発光体（入賞穴報知手段）７４、および抽選ゲームを制御するためのマイクロコンピュータなどからなる制御部７５を有して構成されている。
【００１８】
抽選盤７０は、ボールＢの転がる盤面が透明で凹曲面状に形成されており、投入されたボールＢが中心部へと次第に転がるようになっている。回収孔７０Ａは、抽選盤７０の中心部と外周部との間に形成されている。
【００１９】
ボール投入手段は、抽選盤７０の下方に設けられたバネ７１Ａを第１および第２回転ピン７１Ｃ，７１Ｄによって圧縮した後、その圧縮状態を解除することでプッシュロッド７１Ｅを突き上げることにより、ガイドレール７１Ｂ上にボールＢを放り出す。ガイドレール７１Ｂは、抽選盤７０の下方から上方へと延び、さらに抽選盤７０の外周部を概ね１周するように設けられている。ボールＢは、ガイドレール７１Ｂ上を転がりながら移動し、最終的には抽選盤７０内に転がり落ちる。
【００２０】
回転板７２は、抽選盤７０上においてボールＢの中ほどの高さに保たれており、回転用モータ７２Ｂによって回転させられる。図４によく示されているように、回転板７２の凹部７２Ａは、一例として番号１〜６の目印を付して等間隔に設けられており、抽選盤７０の中心部へと向かうボールＢがいずれかの凹部７２Ａに嵌るようになっている。回収孔７０Ａは、回転板７２の回転に伴ってこれらの凹部７２Ａが移動する円軌道Ｃ上に設けられている。凹部７２Ａに保持されたボールＢは、当該凹部７２Ａが回収孔７０Ａと同一箇所にあるとき、回収孔７０Ａに落下するようになっている。
【００２１】
図４および図５によく示されているように、回転板７２の軸とその周辺には、各凹部７２Ａの回転位置を検知するための回転位置検知手段として、第１回転子７６Ａ、第２回転子７７Ａ、第１センサ７６Ｂ、第２センサ７７Ｂが設けられている。第１回転子７６Ａは、各凹部７２Ａに対応する検知部分として複数の突出部を略６０度間隔に有し、回転板７２の軸と一体になって回転する。第２回転子７７Ａは、基準とされた例えば番号１の凹部７２Ａにのみ対応する検知部分として１つの突出部を有し、上記第１回転子７６Ａとは異なる高さ位置で回転板７２の軸と一体になって回転する。第１および第２センサ７６Ｂ，７７Ｂは、たとえばフォトインタラプタからなり、それぞれ第１および第２回転子７６Ａ，７７Ａの突出部を検知可能に設置されている。また、回収孔７０Ａの下方両側には、たとえばフォトインタラプタからなり、ボールＢが落下したことを検知するボール落下検知センサ７８が設けられている。
【００２２】
たとえば図４に示されているように、番号１の凹部７２Ａが回収孔７０Ａに一致した状態では、第１回転子７６Ａの突出部が第１センサ７６Ｂにより検知されるとともに、第２回転子７７Ａの突出部が第２センサ７７Ｂにより検知される。すなわち、制御部７５は、第１および第２センサ７６Ｂ，７７Ｂからの検知信号に基づき、番号１の凹部７２Ａが回収孔７０Ａに一致した状態であると認識する。その後、回転板７２が時計回りに略６０度回転するごとに、第１回転子７６Ａの突出部が第１センサ７６Ｂにより検知される。これにより、制御部７５は、番号２〜６の凹部７２Ａが順番に回収孔７０Ａに一致した状態であると認識する。さらに回転板７２が回転して再び第２回転子７７Ａの突出部が第２センサ７７Ｂにより検知されると、番号１の凹部７２Ａが回収孔７０Ａに一致した状態となる。このようにして制御部７５は、全ての凹部７２Ａの回転位置を把握しているとともに、回収孔７０Ａと同一箇所にある凹部７２Ａを特定することができる。そして、制御部７５は、ボール落下検知センサ７８から回収孔７０ＡにボールＢが落下した旨の信号を受けると、回転板７２の回転を停止させる。このとき、制御部７５は、回収孔７０Ａと同一位置にある凹部として、たとえば番号１の凹部７２Ａを特定すると、当該番号１の凹部７２ＡにボールＢが保持されていたものと判断する。
【００２３】
図２に示されているように、複数の発光体７４は、たとえばカラーＬＥＤからなり、抽選盤７０の裏面側に配置されている。これらの発光体７４は、回転板７２が回転停止した状態のときに各凹部７２Ａと対応する位置に固定されており、これらの凹部７２Ａのうちのどれが入賞穴であるかを発光することによって遊技者に知らせる。
【００２４】
制御部７５は、表示部８に表示された３つの数字が揃うことで抽選ゲームを開始し、複数の凹部７２Ａのうちのどれを入賞穴とするかを所定のプログラムに基づいて決定する。入賞穴の数は、揃った数字の大きさなどに応じて異なり、１つだけの場合もあれば２つ以上の場合もある。すなわち、入賞の確率は、変動するようになっており、入賞穴は、番号１〜６の凹部７２Ａのうちのどれでもなりうるようになっている。たとえば番号１と番号３の凹部７２Ａが入賞穴に決まると、制御部７５は、回転板７２が回転停止中の状態において、当該番号１と番号３の凹部７２Ａに対応する位置にある発光体７４を点灯させる。
【００２５】
次に、上記抽選装置７の動作について説明する。
【００２６】
たとえば番号１の凹部７２Ａを入賞穴として抽選ゲームが開始されると、抽選盤７０に１つのボールＢが投入され、このボールＢがしばらくすると、回転中の回転板７２におけるいずれかの凹部７２Ａに保持される。なお、抽選盤７０には、２以上のボールを投入するようにしてもよい。そうした場合、入賞の確率を高めることができる。
【００２７】
回転板７２は、凹部７２ＡにボールＢを保持した状態で回転させられるが、ボールＢを保持した凹部７２Ａが回収孔７０Ａの位置にくると、当該ボールＢが凹部７２Ａの真下にある回収孔７０Ａに落下する。ボールＢの落下がボール落下検知センサ７８により検知されると、回転板７２が回転を停止する。
【００２８】
このとき、制御部７５は、第１および第２センサ７６Ｂ，７７Ｂからの検知信号に基づき、回収孔７０Ａと同一位置にある凹部７２Ａの番号を特定する。たとえば回収孔７０Ａと同一位置にある凹部７２Ａについて番号１と特定したとき、この凹部７２Ａが入賞穴でボールＢが入っていたことになることから、制御部７５は、入賞した状態と判断する。入賞すると、制御部７５は、多数の景品が入れられたバケット９を傾動させる。これにより、バケット９に入れられていた景品が景品落下口５やプッシャテーブル６１に落下することとなり、多数の景品が払い出される。一方、回収孔７０Ａと同一位置にある凹部７２Ａがはずれ穴となる番号２〜６であるとき、制御部７５は、はずれの状態と判断して抽選ゲームを終える。このような抽選ゲームは、どの凹部７２ＡについてもボールＢが入る確率が等しく、入賞穴の数が増えると入賞の確率が上がることになるため、遊技者は、入賞の可能性が高まることを期待しつつ抽選ゲームを楽しむことができる。
【００２９】
したがって、本実施形態の抽選装置７によれば、回収孔７０ＡにボールＢが落下したことを検知した時、当該回収孔７０Ａと同一位置にある凹部７２ＡがボールＢの入った箇所として認識されるように構成されているため、全ての凹部７２Ａにつき、簡単な仕組みでボールＢの入った凹部７２Ａを特定することができ、ひいては入賞穴の数を変えるなどして入賞の確率を容易に変更することができる。
【００３０】
なお、本願発明は、上記の実施形態に限定されるものではない。たとえば抽選装置としては、景品獲得ゲーム機だけではなく、メダルゲーム機にも採用することができ、本願の趣旨を逸脱しない限り種々の設計変更が可能である。
【図面の簡単な説明】
【００３１】
【図１】本願発明に係る抽選装置を備えた景品獲得ゲーム機の一実施形態を示す全体斜視図である。
【図２】図１に示される抽選装置の側面視断面図である。
【図３】図１に示される抽選装置の上面図である。
【図４】図１に示される抽選装置の要部上面図である。
【図５】図１に示される抽選装置の要部視断面図である。
【符号の説明】
【００３２】
７      抽選装置
７０    抽選盤
７０Ａ  回収孔
７１Ａ  バネ（ボール投入手段）
７１Ｂ  ガイドレール（ボール投入手段）
７２Ａ  凹部
７２    回転板
７４    発光体（入賞穴報知手段）
７５    制御部（凹部特定手段、入賞穴決定手段）
７６Ａ  第１回転子（回転位置検知手段）
７６Ｂ  第１センサ（回転位置検知手段）
７７Ａ  第２回転子（回転位置検知手段）
７７Ｂ  第２センサ（回転位置検知手段）
７８    ボール落下検知センサ（ボール落下検知手段）
Ｂ      ボール
【図１】
2006218185.tif 000003
【図２】
2006218185.tif 000004
【図３】
2006218185.tif 000005
【図４】
2006218185.tif 000006
【図５】
2006218185.tif 000007